(57)【要約】走行レーンから空いている駐車スペースに向けて移動する車両を駐車させ、該車両を駐車スペースから退出させて走行レーンに向けて移動させる、自動車駐車支援システム。駐車支援システムは、車両速度（Ｖ）及び障害物からの距離（Ｄ）に依存して、加速（Ａ）に対するセットポイント値を送ることに適した、車両の加速を判定するモジュール（１２）と、加速（Ａ）に対するセットポイント値、車両速度（Ｖ）、及び道路勾配（Ｐ）に依存して、制動トルクに対するセットポイント値（ＣＦＦ）と、エンジントルクに対するセットポイント値（ＣＭＦ）と、を算出することに適したトルク調節モジュール（１４）と、を含む。【選択図】図１
2020514174.tif 000002
【特許請求の範囲】
【請求項１】
自動車のための、前記自動車を走行レーンから利用可能な駐車スペースへ駐車可能にし、前記自動車を前記駐車スペースから退出させて前記走行レーン上に移動可能にする駐車支援システムであって、前記自動車は、障害物検出システムと、駐車スペース検出システムと、操舵角を制御可能な電動式パワーステアリングと、トルクを制御可能なエンジン・制動システムと、自動変速機又は「シフトバイワイヤ」システムとして知られるシステムと、少なくとも１つの走行距離計測センサと、加速度計と、自動制御機能を起動する手段と、を含み、前記自動車の速度（Ｖ）及び障害物への距離（Ｄ）に基づいて、前記自動車の加速を判定し、加速セットポイント（Ａ）を送ることが可能なモジュール（１２）と、前記加速セットポイント（Ａ）と、前記自動車の前記速度（Ｖ）と、道路の勾配（Ｐ）と、に基づいて、制動トルクセットポイント（ＣＦＦ）及びエンジントルクセットポイント（ＣＭＦ）を算出することが可能なトルク制御モジュール（１４）と、を含むことを特徴とする駐車支援システム。
【請求項２】
４つの作動状態、すなわち、前記駐車スペース検出システムを通して駐車スペースを検索するフェーズに相当する初期状態（Ｅ０）と、前記加速判定モジュール（１２）が、前記道路を考慮して、前記自動車が停止状態に確実に維持されるように、ネガティブ加速セットポイントを算出する、操作の開始を待機するフェーズに相当する第１の状態（Ｅ１）と、前記加速判定モジュール（１２）が、急速に減少する傾斜にしたがう第１の加速セットポイントと、ゆっくりと減少する傾斜にしたがう第２の加速セットポイントと、を算出する加速解除フェーズに相当する第２の状態（Ｅ２）と、前記加速判定モジュール（１２）が、フィードフォワードフィルタ及び比例積分コントローラに基づいて、加速セットポイントを算出する第３の状態（Ｅ３）と、前記加速判定モジュール（１２）が、制動傾斜のゲインに基づいて、加速セットポイントを算出する制動起動フェーズに相当する第４の状態（Ｅ４）と、を含む、請求項１に記載のシステム。
【請求項３】
前記トルク制御モジュール（１４）は、各状態（Ｅ１、Ｅ２、Ｅ３）において前記加速判定モジュール（１２）により算出される前記加速セットポイント（Ａ）に基づいて、初期トルク（ＣＭＩ、ＣＦＩ）を算出するモジュール（１６）を含む、請求項２に記載のシステム。
【請求項４】
前記初期トルク算出モジュール（１６）は、前記自動車の前記加速度計により提供される情報を用いて推定される前記自動車（Ｖ）の前記速度及び前記道路の前記勾配（Ｐ）に基づいて、前記加速セットポイント（Ａ）の値を、ホイール（Ｃｒ）でのトルクセットポイントに変換するコンバータ（１８）を含む、請求項３に記載のシステム。
【請求項５】
前記初期トルク算出モジュール（１６）は、出力にて、初期エンジントルクセットポイントに相当するポジティブ成分（ＣＭＩ）を送る飽和器（２０）と、初期制動トルクセットポイント（ＣＦＩ）を取得するために、前記ホイール（Ｃｒ）での前記トルクセットポイントから、前記ポジティブ成分（ＣＭＩ）を減算することが可能な減算器（２２）と、をさらに含む、請求項４に記載のシステム。
【請求項６】
前記トルク制御モジュール（１４）は、前記駐車操作の中断フェーズ中、例えば、軌跡上に障害物が存在する場合、運転者が前記操作を解除した場合、又は、前記制動システム以外のアクチュエータの故障の場合、にのみ起動する減速制御モジュール（２６）を含み、前記減速制御モジュール（２６）は、中断が検出された場合に、バイパス命令を送り、制動トルクセットポイント（ＣＦ）を算出することができる、請求項３〜５のいずれか一項に記載のシステム。
【請求項７】
前記トルク制御モジュール（１４）は、入力にて受け取る様々なトルクセットポイント（ＣＦＩ、ＣＭＩ、ＣＦ）の間を仲裁することにより、最終エンジントルクセットポイント（ＣＭＦ）を前記ホイールに送り、最終制動トルクセットポイント（ＣＦＦ）を前記ホイールに送るようにすることが可能な最終トルクセットポイント算出モジュール（２８）を含む、請求項６に記載のシステム。
【請求項８】
自動車のための、前記自動車を走行レーンから利用可能な駐車スペースへ駐車可能にし、前記自動車を前記駐車スペースから退出させて前記走行レーン上に移動可能にする駐車支援方法であって、前記自動車は、障害物検出システムと、駐車スペース検出システムと、操舵角を制御可能な電動式パワーステアリングと、トルクを制御可能なエンジン・制動システムと、自動変速機又は「シフトバイワイヤ」システムとして知られるシステムと、少なくとも１つの走行距離計測センサと、加速度計と、視聴覚インターフェースと、自動制御機能を起動する手段と、を含み、加速セットポイント（Ａ）は、前記自動車の速度（Ｖ）及び障害物への距離（Ｄ）に基づいて算出され、制動トルクセットポイント（ＣＦＦ）及びエンジントルクセットポイント（ＣＭＦ）は、前記加速セットポイント（Ａ）と、前記自動車（Ｖ）の前記速度と、道路の勾配（Ｐ）と、に基づいて算出されることを特徴とする、駐車支援方法。
【請求項９】
制動トルクセットポイント（ＣＦＦ）及びエンジントルクセットポイント（ＣＭＦ）を算出するために、初期エンジントルクセットポイント（ＣＭＩ）及び初期制動トルクセットポイント（ＣＦＩ）が、前記加速セットポイント（Ａ）及び前記道路の前記勾配（Ｐ）に基づいて算出され、駐車操作の中断があるか否かがチェックされ、最終エンジントルクセットポイント（ＣＭＦ）及び最終制動トルクセットポイント（ＣＦＦ）が、前記初期トルクセットポイント（ＣＭＩ、ＣＦＩ）及び前記中断の検出に基づいて算出される、請求項８に記載の方法。
【発明の詳細な説明】
【技術分野】
【０００１】
本発明は、自動車の運転支援の分野、特に、駐車支援の分野に関する。
【０００２】
とりわけ、本発明は、縦列駐車操作などの駐車操作を行うために、完全自動駐車を支援する方法及び完全自動駐車を支援するシステムに関する。
【０００３】
そのような駐車支援方法及び駐車支援システムは、駐車スペースを検出し、駐車操作を行うよう、車両の電動式パワーステアリングから制御を引き継ぐことを可能にする。駐車操作の目的のための、ホイールを操舵する操作はしたがって、完全に自動で行われる。
【０００４】
車両の運転者は、車両のギヤの切り替え、加速、及び制動に依然として義務を負う。
【０００５】
ＷＯ２０１４／１６７２５５−Ａ１（ルノー）の文書は、自動車のために自動駐車操作を行う軌跡計画方法を開示する。しかし、そのような方法は、車両の縦方向の速度を考慮しない。
【０００６】
車両の駐車操作を自動システムに委任する方法が記載されている、ＷＯ２０１４／１９１２０９−Ａ１（ルノー）の文書も参照する。
【０００７】
そのような方法では、運転者は加速にのみ義務を負う。したがって、車両が過大な速度にて走行するリスクがある。これにより、車両の近位に位置する固定障害物又は移動する障害物と衝突するおそれがある。加えて、障害物の検出及び車両の制動並びに停止もまた、運転者の排他的な制御の下にある。
【０００８】
最も安全と思われる駐車支援を運転者に提示するために、運転支援方法及び運転支援システムを改善する必要がある。
【発明の概要】
【０００９】
本発明の目的はしたがって、アクチュエータ、特に、制動システムの分散を考慮することが可能で、同時に、制御の精度に影響を与えることなく、傾斜した道路上に車両を確実に維持することが可能な駐車支援システム及び駐車支援方法を提供することである。
【００１０】
本発明の対象の１つは、自動車のための、自動車を走行レーンから利用可能な駐車スペースへ駐車可能にし、自動車を駐車スペースから退出させて走行レーン上に移動可能にする駐車支援システムである。自動車は、障害物検出システムと、駐車スペース検出システムと、操舵角を制御可能な電動式パワーステアリングと、トルクを制御可能なエンジン・制動システムと、自動変速機又は「シフトバイワイヤ」システムとして知られるシステムと、少なくとも１つの走行距離計測センサと、加速度計と、視聴覚インターフェースと、自動制御機能を起動する手段と、を含む。
【００１１】
駐車支援システムは、車両の速度セットポイント及び障害物への距離に基づいて、車両の加速を判定又は算出し、加速セットポイントを送ることが可能なモジュールと、加速セットポイントと、車両の速度と、道路の勾配と、に基づいて、制動トルクセットポイント及びエンジントルクセットポイントを算出することが可能なトルク制御モジュールと、を含む。
【００１２】
システムは、低い速度での車両の移動を制御することができる。この目的のために、低速度用の速度推定器と、加速推定器と、を有する。
【００１３】
そのような駐車支援システムは、運転者がいつでも駐車操作をできるようにしながらも、電動式パワーステアリングなどの横方向のアクチュエータを通しての制御だけでなく、車両のエンジン、変速機、及び制動システムなどの縦方向のアクチュエータを通しての制御をも考慮して、運転者がより容易に駐車できるようにする。
【００１４】
１つの実施形態によると、システムは、４つの作動状態を含む、すなわち：
−駐車スペース検出システムを通して駐車スペースを検索するフェーズに相当する初期状態、
−加速判定モジュールが、道路を考慮して、車両が停止状態に確実に維持されるように、ネガティブ加速セットポイントを算出する、操作の開始を待機するフェーズに相当する第１の状態、
−加速判定モジュールが、急速に減少する傾斜にしたがう第１の加速セットポイントと、ゆっくりと減少する傾斜にしたがう第２の加速セットポイントと、を算出する加速解除フェーズに相当する第２の状態、
−加速判定モジュールが、フィードフォワードフィルタ及び比例積分コントローラに基づいて、加速セットポイントを算出する第３の状態、及び
−加速判定モジュールが、制動傾斜のゲインに基づいて、加速セットポイントを算出する制動起動フェーズに相当する第４の状態。
【００１５】
したがって、駐車操作の各状態において、加速判定モジュールは、加速セットポイントを算出する。
【００１６】
好都合には、トルク制御モジュールは、駐車操作の各状態において、加速判定モジュールにより算出される加速セットポイントに基づいて、初期トルクを算出するモジュールを含む。
【００１７】
例えば、初期トルク算出モジュールは、車両の加速度計により供給される情報を用いて推定される車両の速度及び道路の勾配に基づいて、加速セットポイントの値を、ホイールでのトルクセットポイントに変換するコンバータを含む。
【００１８】
初期トルク算出モジュールはまた、出力にて、初期エンジントルクセットポイントに相当するポジティブ成分を送る飽和器と、初期制動トルクセットポイントを取得するために、ホイールでのトルクセットポイントからポジティブ成分を減算することが可能な減算器と、をさらに含む。
【００１９】
好都合には、トルク制御モジュールは、駐車操作の中断フェーズ中、例えば、軌跡上に障害物が存在する場合、運転者が操作を解除した場合、又は制動システム以外のアクチュエータの故障の場合、にのみ起動する減速制御モジュールを含む。減速制御モジュールは、中断が検出された場合に、バイパス命令を送り、制動トルクセットポイントを算出することができる。
【００２０】
例えば、トルク制御モジュールは、入力にて受け取る様々なトルクセットポイントの間を仲裁し、最終エンジントルクセットポイントをホイールに送り、最終制動トルクセットポイントをホイールに送るようにすることが可能な最終トルクセットポイント算出モジュールを含む。
【００２１】
第２の態様によると、本発明は、自動車のための、自動車を走行レーンから利用可能な駐車スペースへ駐車可能にし、自動車を駐車スペースから退出させて走行レーン上に移動可能にする駐車支援方法に関する。自動車は、障害物検出システムと、駐車スペース検出システムと、操舵角を制御可能な電動式パワーステアリングと、トルクを制御可能なエンジン・制動システムと、自動変速機又は「シフトバイワイヤ」システムとして知られるシステムと、少なくとも１つの走行距離計測センサと、加速度計と、視聴覚インターフェースと、自動制御機能を起動する手段と、を含む。
【００２２】
この方法では、加速セットポイントは、車両の速度及び障害物への距離に基づいて算出され、制動トルクセットポイント及びエンジントルクセットポイントは、加速セットポイントと、車両の速度と、道路の勾配と、に基づいて算出される。
【００２３】
例えば、制動トルクセットポイント及びエンジントルクセットポイントを算出するために、初期エンジントルクセットポイント及び初期制動トルクセットポイントが、加速セットポイント及び道路の勾配に基づいて算出され、駐車操作の中断があるか否かがチェックされ、最終エンジントルクセットポイント及び最終制動トルクセットポイントが、初期トルクセットポイント及び中断の検出に基づいて算出される。
【００２４】
本発明の他の目的、特徴、及び利点が、添付の図面を参照して、非限定例を通してのみ与えられる、以下の説明を読むことにより明白となるであろう。
【図面の簡単な説明】
【００２５】
【図１】図１は、本発明に係る、自動車のための駐車支援システムを模式的に示す。
【図２】図２は、図１に係る駐車支援システムの各状態を示す。
【図３】図３は、図１の駐車支援システムのトルク制御モジュールを詳細に示す。
【図４】図４は、駐車支援システムにより実施される、本発明に係る駐車支援方法の各ステップを示す。
【発明を実施するための形態】
【００２６】
図１は、運転支援システム１０、特に、自動車（図示せず）のための駐車支援システムを高度に模式的に示す。自動車は、明確さを改善するために図示しない、以下の要素を含む：２ｍ未満の距離などの、車両の近位に位置する障害物を検出するシステム、駐車スペース検出システム、操舵角を制御可能な電動式パワーステアリング、トルクを制御可能なエンジン・制動システム、自動変速機又は「シフトバイワイヤ」システムとして知られるシステム、少なくとも１つの走行距離計測センサ、加速度計、視聴覚インターフェース、及び自動制御機能を起動する手段又は「デッドマン装置」。
【００２７】
システム１０は、低速度での車両の速度を制御することができる。この目的のために、低速度用の速度推定器と、加速推定器と、を有する（共に図示せず）。
【００２８】
システム１０は、車両Ｖの速度及び障害物への距離Ｄに基づいて、車両の加速を算出又は判定し、加速セットポイントＡを送ることが可能なモジュール１２と、加速セットポイントＡと、車両Ｖの速度と、道路の勾配Ｐと、に基づいて、制動トルクセットポイントＣＦＦ及びエンジントルクセットポイントＣＭＦを算出することが可能なトルク制御モジュール１４と、を含む。
【００２９】
加速判定モジュール１２は、駐車操作のステージ及び車両の近位における環境に基づいて、車両のアクチュエータの制御を連続して調整するよう、駐車支援システム１０の各状態Ｅにおける、トルク制御モジュール１４に送られる加速セットポイントＡを算出する。
【００３０】
各状態を図２に示す。
【００３１】
駐車支援システムの初期状態Ｅ０は、駐車スペースを検索するフェーズに相当する。この状態Ｅ０では、駐車支援システム１０は起動していない。つまり、アクチュエータの制御は行われない。車両の運転者は、車両に対する義務を完全に負う。駐車支援システム１０を起動させるには、運転者は、車両のダッシュボード上にある、自動制御機能又は「デッドマン」を起動するための起動手段（図示せず）を押し、縦列駐車操作などの駐車操作の種類及び運転者が車両を駐車したい車両の側面を選択する。車両のヒューマンマシンインターフェース（図示せず）がその後運転者に、駐車スペースが検出されるまで車両を前進させるよう求め、その後、車両を停止するよう求める。
【００３２】
運転者が駐車スペースを確定すると、駐車支援システム１０は、操作の開始を待機するフェーズに相当する状態Ｅ１に変わる。この待機フェーズＥ１では、加速判定モジュール１２は、ネガティブ加速セットポイントを算出する。算出には、以下の式を用いる：
ＡＥ１（ｋ）＝Ｃ    （式１）
ここで：
ＡＥ１は、ｍ／ｓ２にて表される、状態Ｅ１にて算出される加速セットポイントである。
ｋは、サンプリング時間である。
Ｃは、ｍ／ｓ２にて表される定数である。これは、道路の勾配及び車両の質量に関する不確実性など、道路及び車両を考慮して、車両が停止状態に確実に維持されるように、加速判定モジュールにより算出される加速目標に相当する。
【００３３】
縦列駐車の場合、運転者は、リバースギヤに入れる必要がある。リバースギヤに入り、運転者が駐車操作を開始する命令を駐車支援システムに送ると、加速を解除するフェーズに相当する状態Ｅ２となる（車両が停止状態に確実に維持されるようにするために、初期的に定義されている）。加速判定モジュールはここでは、急速に減少する傾斜にしたがう第１の加速セットポイントと、ゆっくりと減少する傾斜にしたがう第２の加速セットポイントと、を算出する。算出には、以下の式を用いる：
ＡＥ２（ｋ）＝ＡＥ２（ｋ−１）．Ｋ．Ｔｅ．ＫＦ、ＡＥ２（ｋ−１）＜Ｓ    （式２）
ＡＥ２（ｋ）＝ＡＥ２（ｋ−１）．Ｋ．Ｔｅ．ＫＳ    （式３）
ここで：
ＡＥ２は、ｍ／ｓ２にて表される、状態Ｅ２にて算出される加速セットポイントである。
Ｋは、離散積分器のゲインである。
Ｔｅは、サンプリング期間である。
ＫＦは、急速な傾斜のゲインである。
ＫＳは、急速な傾斜のゲインである。
Ｓは、減速傾斜変化の閾値である。
【００３４】
加速セットポイントの完全解除の終わりにて、又は、駐車支援システムが車両の移動を検出すると、状態Ｅ３となる。
【００３５】
車両の移動を検出するために、駐車支援システムは、駐車支援システムの内部推定器を用いての「トップホイール」に基づく移動検出モジュールを含む。「トップホイール」という名称は、車両のホイールに位置するエンコーダの出力を意味する。この出力は、ホイールのＸ度の回転毎にインクリメントする。値Ｘは、車両及びホイールのサイズに依存する。このエンコーダは、車両の走行距離計測システムの一部を形成する。各ホイールには１つのエンコーダがある。Ｘ度の回転毎に、１つ以上の「トップ」が出現する。
【００３６】
状態Ｅ１及び状態Ｅ２では、車両は静止している。状態Ｅ３にて、加速判定モジュール１２は、加速セットポイントＡＥ３を算出する。算出には、以下の式を用いる：
ＡＥ３（ｋ）＝ＫＰＩＤ．ＡＰＩＤ（ｋ）．＋ＫＦＦ．ＡＦＦ（ｋ）    （式４）
ここで、
2020514174.tif 000003
ここで：
ＡＥ３は、ｍ／ｓ２にて表される、状態Ｅ３にて算出される加速セットポイントである。
ＫＰＩＤは、比例積分導関数コントローラの重み付けゲインである。
ＡＰＩＤは、ｍ／ｓ２にて表される、比例積分導関数コントローラの加速セットポイントである。
ＫＦＦは、フィードフォワードフィルタの重み付けゲインである。
ＡＦＦは、ｍ／ｓ２にて表される、フィードフォワードフィルタの加速セットポイントである。
Ｖｒｅｑは、ｍ／ｓにて表される、超えてはならない閾値に相当する、駐車支援システムの速度セットポイントである。
【００３７】
障害物を検出するか、運転者が車両を自ら制御しようとするか、車両の横方向のアクチュエータ又は縦方向のアクチュエータの１つに不具合があると、駐車支援システムは状態Ｅ１に変わる。
【００３８】
移動の終わりにて、状態Ｅ３の中断がなければ、駐車支援システムは、制動起動フェーズに相当する状態Ｅ４に変わる。ここでは、加速判定モジュールが、加速セットポイントＡＥ４を算出する。算出には、以下の式を用いる：
ＡＥ４（ｋ）＝ＡＥ４（ｋ−１）．Ｋ．Ｔｅ．Ｋｓｂ    （式６）
ここで：
ＡＥ４は、ｍ／ｓ２にて表される、状態Ｅ４にて算出される加速セットポイントである。
ＫＳＢは、制動傾斜のゲインである。
【００３９】
車両が停止し、制動傾斜が終了すると、駐車支援システムは、次の移動を待機するフェーズに相当する状態Ｅ１に変わる。この状態にて、車両は、ネガティブ加速セットポイントＡＥ１を適用することにより、停止状態に維持される。
【００４０】
これら加速セットポイントＡＥ０、加速セットポイントＡＥ１、加速セットポイントＡＥ２、加速セットポイントＡＥ３、及び加速セットポイントＡＥ４のすべてが、単一の加速セットポイントＡに合成される。これは、システム１０の状態Ｅｘに基づく以下のロジックに基づいて決定される：
Ａ（ｋ）＝ＡＥ０（ｋ）．    Ｅ（システムの状態）＝Ｅ０の場合；又は
Ａ（ｋ）＝ＡＥ１（ｋ）．    Ｅ（システムの状態）＝Ｅ１の場合；又は
Ａ（ｋ）＝ＡＥ２（ｋ）．    Ｅ（システムの状態）＝Ｅ２の場合；又は
Ａ（ｋ）＝ＡＥ３（ｋ）．    Ｅ（システムの状態）＝Ｅ３の場合；又は
Ａ（ｋ）＝ＡＥ４（ｋ）．    Ｅ（システムの状態）＝Ｅ４の場合。
【００４１】
この単一の加速セットポイントＡは続いて、車両のアクチュエータ（エンジン及びブレーキ）の制御に必要なトルクセットポイントを算出するよう、トルク制御モジュール１４に送られる。
【００４２】
トルク制御モジュール１４は、加速制御モジュール１２により算出される加速セットポイントＡに基づいて、初期トルクＣＭＩ及び初期トルクＣＦＩを算出するモジュール１６を含む。
【００４３】
初期トルク算出モジュール１６は、車両が停止している際の操作の開始時に、車両の加速度計（図示せず）により供給される情報を用いて推定される車両Ｖの速度及び道路の勾配Ｐに基づいて、加速セットポイントＡの値を、ホイールＣｒでのトルクセットポイントに変換するコンバータ１８を含む。道路の勾配Ｐによっては、この勾配により車両に印加される力と、ひいては、ホイールにてトルクセットポイントに加えられる、対応するトルクＣＰと、が決定される。
【００４４】
ホイールＣｒでのトルクセットポイントは、以下の式を用いて表される：
Ｃｒ＝ＣＰ．＋Ａ．ｍ．Ｒ    （式７）
ここで：
Ｃｒは、Ｎ．ｍにて表される、ホイールでのトルクセットポイントである。
ＣＰは、Ｎ．ｍにて表される、道路の勾配により車両に印加される力に相当するトルクである。
ｍは、ｋｇにて表される、車両の質量である。
Ｒは、ｍにて表される、ホイールの半径である。
【００４５】
制動システムの初期エンジントルクセットポイントＣＭＩ及び初期トルクセットポイントＣＦＩを算出するモジュール１６は、出力にて、エンジンに対する初期トルクセットポイントに相当するポジティブ成分ＣＭＩを送る飽和器２０と、第２の飽和器２４を用いて、制動システムの初期トルクセットポイントを取得するために、先に決定されたエンジントルク成分ＣＭＩを、ホイールＣｒでのトルクセットポイントから減算することが可能な減算器２２と、をさらに含む。
【００４６】
トルク制御モジュール１４は、駐車操作の中断フェーズ中、例えば、軌跡上に障害物が存在する場合、運転者が操作を解除した場合、又は制動システム以外のアクチュエータの故障の場合、にのみ起動する減速制御モジュール２６をさらに含む。 
【００４７】
減速制御モジュール２６は、バイパス命令を送り、車両の速度を微分することにより取得した、車両の加速ＡＥｓｔの推定値に基づいて、制動トルクセットポイントＣＦを算出する。このモジュール２６は、フィルタされた導関数を伴う比例積分コントローラに基づいている。
【００４８】
トルク制御モジュール１４は、入力にて受け取る様々なトルクセットポイントの間を仲裁し、最終エンジントルクセットポイントＣＭＦをホイールに送り、最終制動トルクセットポイントＣＦＦをホイールに送るようにすることが可能な最終トルクセットポイント算出モジュール２８をさらに含む。算出には、以下の式を用いる：
ＣＭＦ（ｋ）＝ＣＭＩ（ｋ）     バイパスのない場合    （式８）
又は、ＣＭＦ（ｋ）＝０    （式９）
ＣＦＦ（ｋ）＝ＣＦＩ（ｋ）    バイパスのない場合    （式１０）
又は、ＣＦＦ（ｋ）＝ＣＦ    （式１１）
ここで：
ＣＭＦは、Ｎ．ｍにて表される、ホイールでの最終エンジントルクセットポイントである。
ＣＦＦは、Ｎ．ｍにて表される、ホイールでの最終制動トルクセットポイントである。
ＣＦは、Ｎ．ｍにて表される、モジュール２６により算出される、ホイールでの制動トルクセットポイントである。
【００４９】
制動トルクセットポイントはしたがって、駐車支援システムの状態Ｅ１、状態Ｅ２、及び状態Ｅ４にて取得される。エンジントルクセットポイント及び／又は制動トルクセットポイントは、駐車支援システムの状態Ｅ３にて、環境に基づいて取得される。
【００５０】
図４は、自動車のための駐車支援方法３０の実施のためのフローチャートを示す。
【００５１】
方法３０は、車両を走行レーンから利用可能な駐車スペースへ駐車可能にし、車両を駐車スペースから退出させて走行レーン上に移動可能にする。
【００５２】
方法３０は、駐車支援システムの状態Ｅ、つまり、先に定義する状態Ｅ０〜状態Ｅ４の１つを判定するステップ３１を含む。
【００５３】
方法は、初期状態Ｅ０にて、駐車スペースを検索するステップ３２を含む。
【００５４】
方法は、運転者が駐車スペースを確定すると、操作の開始を待機する状態Ｅ１に相当するステップ３３を含む。
【００５５】
方法は、操作を行う条件が満たされると、つまり、縦列駐車の場合では、運転者がリバースギヤにし、駐車操作を開始する命令を送ると、加速判定モジュールが、駐車支援システムに対する、減少する傾斜にしたがって第１の加速セットポイントを算出する、加速を解除する状態Ｅ２に相当するステップ３４を含む。
【００５６】
加速セットポイントの完全解除の終わりにて、又は、駐車支援システム１０が車両の移動を検出すると、方法は、状態Ｅ３に相当するステップ３５に変わる。
【００５７】
移動の終わりにて、状態Ｅ３の中断がなければ、方法は、制動起動の状態Ｅ４に相当するステップ３６に変わる。ここでは、加速判定モジュールが、加速セットポイントＡＥ４を算出する。
【００５８】
方法３０は、式１〜式６の１つを用いて判定される各状態Ｅにおいて、加速ポイントＡを算出するステップ３７と、加速セットポイントＡをトルクセットポイント算出モジュール１４に送るステップ３８と、をさらに含む。
【００５９】
方法３０は、加速セットポイント及び道路の勾配Ｐに基づいて、初期エンジントルクセットポイントＣＭＩ及び初期制動トルクセットポイントＣＦＩを算出するステップ３９を含む。
【００６０】
方法３０は、例えば、軌跡上に障害物が存在する場合、運転者が操作を解除した場合、又はアクチュエータの故障の場合など、中断をチェックするステップ４０を含む。中断を検出すると、検出ステップはポジティブバイパス値を送り、車両の速度を微分することにより取得した車両の加速の推定値に基づき、フィルタされた導関数を伴う比例積分コントローラに基づいて、制動トルクセットポイントを算出する。
【００６１】
方法は、入力にて受け取る様々なトルクセットポイントの間を仲裁し、最終エンジントルクセットポイントＣＭＦをホイールに送り、最終制動トルクセットポイントＣＦＦをホイールに送るようにすることが可能な、最終トルクセットポイントを算出するステップ４１を含む。算出には、式８〜式１１を用いる。
【００６２】
本発明に係る駐車支援システム及び駐車支援方法に基づくと、操作をしていない静止フェーズ中に、車両が確実に維持されるように、道路の勾配を依然として考慮しつつ、支援された駐車操作において、縦方向の車両の移動を制御することができる。
【図１】
2020514174.tif 000004
【図２】
2020514174.tif 000005
【図３】
2020514174.tif 000006
【図４】
2020514174.tif 000007
【国際調査報告】
2020514174.tif 000008
2020514174.tif 000009
2020514174.tif 000010
2020514174.tif 000011